(57)【要約】【課題】小型化を図れるロック機構を提供する。【解決手段】突出状態の押し釦２を押すとき（図７（ａ）→図７（ｂ））、付勢手段８の回転力によって、押し釦２の回転体７が支持部材４に対して相対的に回転し（図７（ｂ）→図７（ｃ））、移動体９が支持部材４の突出位置保持用溝１１ａから押込み位置保持用溝１１ｂに移行する。一方、押込み状態の押し釦２をさらに押すとき、押し釦２が支持部材４に対して押込み方向に移動することによって、支持部材４の押込み位置保持用溝１１ｂと回転体７の溝１６との交差部に挟まれる移動体９が、支持部材４の押込み位置保持用溝１１ｂから突出位置保持用溝１１ａに移行する。【選択図】図７
2013217049.tif 000002
【特許請求の範囲】
【請求項１】
突出状態の押し部材を押すと押込み状態になり、押込み状態の押し部材をさらに押すと突出状態に戻るロック機構であって、
押込み可能な押し部材と、
前記押し部材が押込み方向に移動するのを案内する支持部材と、
前記押し部材に突出方向に弾性力を与えると共に、前記押し部材の少なくとも一部に前記支持部材に対する相対的な回転力を与える付勢手段と、
前記支持部材の外周面又は内周面に形成された溝と前記押し部材の少なくとも一部の内周面又は外周面に形成された溝とに係わる移動体と、を備え、
前記支持部材の溝は、前記押し部材を突出状態に保持するための突出位置保持用溝と、前記押し部材を押込み状態に保持するための押込み位置保持用溝と、を有し、
突出状態の前記押し部材を押すとき、前記付勢手段の回転力によって、前記押し部材の少なくとも一部が前記支持部材に対して相対的に回転し、前記移動体が前記支持部材の前記突出位置保持用溝から前記押込み位置保持用溝に移行し、
押込み状態の前記押し部材をさらに押すとき、前記押し部材が前記支持部材に対して押込み方向に移動することによって、前記支持部材の前記押込み位置保持用溝と前記押し部材の前記溝との交差部に係わる前記移動体が、前記支持部材の前記押込み位置保持用溝から前記突出位置保持用溝に移行するロック機構。
【請求項２】
前記押し部材は、押し部材本体と、押し部材本体に回転可能に連結されると共に、前記溝が形成される回転体を備え、
前記付勢手段の回転力によって、前記回転体が前記支持部材に対して回転することを特徴とする請求項１に記載のロック機構。
【請求項３】
前記支持部材の前記突出位置保持用溝は、前記押し部材の押込み方向に直線状に伸び、
前記支持部材の前記押込み位置保持用溝は、前記突出位置保持用溝の押込み方向の端部から鋭角に曲がることを特徴とする請求項２に記載のロック機構。
【請求項４】
前記回転体に形成される前記溝は、回転方向に対して所定角度傾斜していることを特徴とする請求項３に記載のロック機構。
【請求項５】
前記付勢手段は、前記回転体に突出方向に弾性力を与えると共に、前記回転体に回転力を与える一つのコイルばねからなることを特徴とする請求項２ないし４のいずれかに記載のロック機構。
【発明の詳細な説明】
【技術分野】
【０００１】
本発明は、突出状態の押し部材を押すと押込み状態になり、押込み状態の押し部材をさらに押すと突出状態に戻るロック機構に関する。
【背景技術】
【０００２】
この種のロック機構は、例えば家具の扉に取り付けられるプッシュ式摘み、扉を保持するためのマグネットキャッチ及びクワガタラッチ（プッシュラッチ）等に組み込まれる。プッシュ式摘みは、摘みを突出状態と押込み状態とでその位置を変化させるものである。突出状態の摘みを押すと押込み状態になり、押込み状態の摘みをさらに押すと突出状態に戻る。摘みが突出状態になると、人手で摘みを掴んで扉を開閉することができる。一方、摘みが押込み状態になると、摘みが扉の表面とフラットになるので、扉の美観が向上する。マグネットキャッチ及びクワガタラッチは、摘みの替わりにマグネット及びクワガタのような挟みを使用するものであり、これらの基本的な動きはプッシュ式摘みと同一である。
【０００３】
図１０に示すように、典型的なロック機構は、上記の動きを実現するためにハートカムを備える。ハートカムにはハート形の溝３１が形成される。溝３１には先端がＬ字形に曲がった針金３２が挿入される。針金３２は押し釦３３に首振り可能に連結されている。突出状態の押し釦３３を押すと、首を振りながら針金３２がハート形の溝３１の例えば右側の経路に沿って解除位置Ａ１からロック位置Ａ２まで移動する。針金３２がロック位置Ａ２に移動すると、押し釦３３が押込み状態になる。押込み状態の押し釦３３をさらに押すと、首を振りながら針金３２がハート形の溝３１の例えば左側の経路に沿ってロック位置Ａ２から解除位置Ａ１まで移動する。針金３２が解除位置Ａ１まで移動すると、押し釦３３が再び突出状態になる。ハート形の溝３１にはところどころ段差Ｓ１〜Ｓ４が形成されていて、針金３２の先端が一方向にしか移動しないようになっている。
【先行技術文献】
【特許文献】
【０００４】
【特許文献１】実公平４−１２９５７号公報
【発明の概要】
【発明が解決しようとする課題】
【０００５】
しかし、ハートカムを使用したロック機構にあっては、針金が解除位置からロック位置に移動するのにハート形の溝の例えば右側の経路を経由し、針金がロック位置から解除位置に移動するのにハート形の溝の例えば左側の経路を経由している。すなわち、針金が解除位置からロック位置に移動する往路と、針金がロック位置から解除位置に移動する復路とが異なっており、往路を復路とを共通化できず、このためロック機構を小型化できないという課題がある。
【０００６】
そこで本発明は、小型化を図れるロック機構を提供することを目的とする。
【課題を解決するための手段】
【０００７】
上記課題を解決するために、本発明は、突出状態の押し部材を押すと押込み状態になり、押込み状態の押し部材をさらに押すと突出状態に戻るロック機構であって、押込み可能な押し部材と、前記押し部材が押込み方向に移動するのを案内する支持部材と、前記押し部材に突出方向に弾性力を与えると共に、前記押し部材の少なくとも一部に前記支持部材に対する相対的な回転力を与える付勢手段と、前記支持部材の外周面又は内周面に形成された溝と前記押し部材の少なくとも一部の内周面又は外周面に形成された溝とに係わる移動体と、を備え、前記支持部材の溝は、前記押し部材を突出状態に保持するための突出位置保持用溝と、前記押し部材を押込み状態に保持するための押込み位置保持用溝と、を有し、突出状態の前記押し部材を押すとき、前記付勢手段の回転力によって、前記押し部材の少なくとも一部が前記支持部材に対して相対的に回転し、前記移動体が前記支持部材の前記突出位置保持用溝から前記押込み位置保持用溝に移行し、押込み状態の前記押し部材をさらに押すとき、前記押し部材が前記支持部材に対して押込み方向に移動することによって、前記支持部材の前記押込み位置保持用溝と前記押し部材の前記溝との交差部に係わる前記移動体が、前記支持部材の前記押込み位置保持用溝から前記突出位置保持用溝に移行するロック機構である。
【発明の効果】
【０００８】
本発明によれば、突出状態の押し部材を押すとき、付勢手段の回転力によって、移動体が支持部材の突出位置保持用溝から押込み位置保持用溝に移行する。一方、押込み状態の押し部材をさらに押すとき、押し部材が支持部材に対して押込み方向に移動することによって、移動体が支持部材の押込み位置保持用溝から突出位置保持用溝に移行する。このため、突出状態の押し部材を押込み状態にするための往路（突出位置保持用溝→押込み位置保持用溝）と、押込み状態の押し部材を突出状態にするための復路（押込み位置保持用溝→突出位置保持用溝）とを共通化することができる。
【図面の簡単な説明】
【０００９】
【図１】本発明の第一の実施形態のロック機構の外観斜視図
【図２】本実施形態のロック機構の側面図（図中（ａ）が押し釦の突出状態を示し、図中（ｂ）が押し釦の押込み状態を示す）
【図３】本実施形態のロック機構の断面図
【図４】本実施形態のロック機構の分解斜視図
【図５】支持部材の詳細図（図（ａ）は斜視図を示し、図（ｂ）は平面図を示す）
【図６】回転体の詳細図（図（ａ）は斜視図を示し、図（ｂ）は平面図を示す）
【図７】突出状態の押し釦を押すときのロック機構の動作図
【図８】押込み状態の押し釦を押すときのロック機構の動作図
【図９】本発明の第二の実施形態のロック機構の外観斜視図
【図１０】従来のハートカムを示す模式図
【発明を実施するための形態】
【００１０】
以下、図面を参照して本発明の一実施形態のロック機構を詳細に説明する。図１は本実施形態のロック機構の外観斜視図を示す。ロック機構は、筒状のケース１と、ケース１から中心線方向に突出する押し部材としての押し釦２と、を備える。この実施形態のロック機構は、家具の扉等に取り付けられるプッシュ式摘みに使用される。押し釦２には指で押し釦２を保持するための凹み２ａが形成される。ケース１には、ロック機構を扉等に取り付けるためのフランジ３が一体的に結合される。フランジ３には取付け孔３ｃが開けられる。
【００１１】
図２はロック機構の側面図を示す。押し釦２は、図２（ａ）に示す突出状態と図２（ｂ）に示す押込み状態との間でその位置を変化させる。図２（ａ）に示す突出状態では、押し釦２を掴んで扉を開閉できる。図２（ｂ）に示す押込み状態では、扉がフラットな外観になる。図２（ａ）に示す突出状態の押し釦２を押すと、後述するようにばねの力によってロックがかかり、図２（ｂ）に示す押し釦２が押込み状態になる。一方、図２（ｂ）に示す押込み状態の押し釦２をさらに押すと、ロックが解除されると共に、ばねの力によって図２（ａ）に示す突出状態に戻る。押し釦２を押す毎に、上記の動作が繰り返される。なお、図２（ｂ）に示す押込み状態の押し釦２をさらに押すためには、押し釦２とケース１のフランジ３との間に押し釦２をストロークさせるためのすきまδが必要になる。本実施形態のロック機構は、小型化を図ることができると共にこのすきまδを小さくできるという特徴を持つ。
【００１２】
図３及び図４はロック機構の詳細図を示す。図３はロック機構の断面図を、図４はロック機構の分解斜視図を示す。本実施形態のロック機構は、ケース１、支持部材４、フランジ３、押し釦２、移動体としての球体９、付勢手段としてのねじりコイルばね８を備える。押し釦２は、押し釦本体６と、回転体７と、を備える。回転体７は押し釦本体６に回転可能に連結されていて、押し釦本体６の押込み方向への移動と一緒に移動する。ケース１、支持部材４、及びフランジ３が固定側であり、押し釦本体６及び回転体７が可動側である。ねじりコイルばね８は、ケース１と回転体７との間に介在し、押し釦２に突出方向に弾性力を与える。各部品の構造は以下のとおりである。
【００１３】
図４に示すように、ケース１は有底円筒状に形成される。ケース１の一端部には、フランジを取り付けるための縁１ａが設けられる。
【００１４】
図３に示すように、ケース１内には、ケース１内には筒状の支持部材４が収容される。支持部材４はケース１の底とフランジ３との間に挟まれて、これらの間に固定される。筒状の支持部材４の内周面には押し釦本体６が押込み方向（中心線方向）に移動可能に嵌められている。図４に示すように、支持部材４の外周面には、周方向に１８０度の間隔を開けて、一対の溝１１が形成される。各溝は、全体がＬ字に形成されていて、押し釦２を突出状態に保持するための突出位置保持用溝１１ａと、押し釦２を押込み状態に保持するための押込み位置保持用溝１１ｂと、から構成される。
【００１５】
図５の詳細図に示すように、支持部材４は、円筒状の基部４ａと、円筒状の基部４ａの周囲の一部から中心線方向に突出する一対の延長壁４ｂと、を備える。円筒状の基部４ａの下端には、支持部材４をフランジ３に回り止めするための突起４ａ１が円周方向に１８０度の間隔を開けて形成される。延長壁４ｂの断面は円弧状に形成される。延長壁４ｂの外周面に突出位置保持用溝１１ａ、及び押込み位置保持用溝１１ｂが形成される。突出位置保持用溝１１ａは、押し釦２の押込み方向（中心線Ｌ方向）に直線的に伸びる。押込み位置保持用溝１１ｂは突出位置保持用溝１１ａの押込み方向の端部１１ａ１から鋭角に折れ曲っていて、端部１１ａ１から直線的に伸びる（図７（ａ）参照）。突出位置保持用溝１１ａ及び押込み位置保持用溝１１ｂから構成される一対の溝１１は、中心線Ｌに関して対称に形成される。
【００１６】
図３に示すように、押し釦本体６は、円柱状に形成されると共に、その中心線方向の一端部に摘み部６ａを有する。この摘み部６ａが人の指で摘まれる。押し釦本体６の中心線方向の他端部には小径部６ｂが形成されていて、この小径部６ｂに回転体７が回転可能に嵌められる。回転体７が押し釦本体６から抜けるのを防止するために、押し釦本体６の他端部には留めリング１３が取り付けられる。押し釦本体６は支持部材４の内周側に位置し、回転体７は支持部材４の外周側に位置する。
【００１７】
図６の詳細図に示すように、回転体７は、有底円筒状の本体部７ａと、本体部７ａの開口端部から半径方向に張り出す円盤部７ｂと、を有する。本体部７ａの底面の中心には貫通孔１４が形成されていて、この貫通孔１４に押し釦本体６の小径部６ｂが嵌められる。
【００１８】
回転体７の本体部７ａの底面の貫通孔１４の周囲には、周方向に１８０度の間隔を空けて一対の円弧状の貫通溝１５が形成される。この貫通溝１５に支持部材４の延長壁４ｂが挿入される（図４参照）。貫通溝１５の円周方向の長さは、延長壁４ｂの円周方向の長さよりも長く、回転体７は支持部材４に対して中心線Ｌの回りを所定角度θ（第一の角度Ｂ１から第二の角度Ｂ２まで）回転できるようになっている（図７（ｃ）参照）。回転体７の回転は、支持部材４の延長壁４ｂが貫通溝１５の端部１５ａに当接することによって制限される。
【００１９】
図３に示すように、回転体７の本体部７ａの内周面は、支持部材４の延長壁４ｂの外周面に対向する。図６に示すように、回転体７の本体部７ａの内周面には、円周方向に１８０度の間隔を空けて一対の溝１６が形成される。一対の溝１６は、中心線に関して対称に形成される。図７（ａ）に示すように、各溝１６は回転体７の回転方向Ａ（中心線Ｌに直交する方向）に対して所定角度α傾斜している。詳しくは後述するが、回転体７と球体９とを一体的に回転させるためである。各溝１６の一端部（図７（ａ）中の右端部）は突出方向に曲がっている。
【００２０】
図３に示すように、ケース１と回転体７との間には付勢手段としてのねじりコイルばね８が介在する。ねじりコイルばね８は押し釦２に突出方向に弾性力を与える。また、ねじりコイルばね８は回転体７に一方向に回転するように回転力を与える。ねじりコイルばね８の一方の端部は支持部材４に引っ掛けられ、他方の腕部は回転体７に引っ掛けられる。
【００２１】
図３に示すように、支持部材４の溝１１と回転体７の溝１６との間には球体９が挟まれる。支持部材４に対する回転体７の中心線方向への移動、及び支持部材４に対する回転体７の中心線回りの回転に伴って、球体９はこれらの溝１１及び溝１６内を移動できるようになっている。
【００２２】
図４に示すように、フランジ３は、フランジ本体３ａと、かしめ片３ｂと、を有する。フランジ本体３ａの中央には、貫通孔１８が開けられていて、貫通孔１８に支持部材４が回転不能に嵌め込まれる。ケース１とフランジ３を位置合わせした後、かしめ片３ｂをかしめることで、フランジ３がケース１に結合される。
【００２３】
以上のように構成されるロック機構の動作を説明する。ロック機構の動作は、突出状態の押し釦２を押し、押し釦２を押込み状態にするまでの動作と、これとは逆に押込み状態の押し釦２をさらに押し、押込み状態の押し釦２を突出状態にするまでの動作とに分けることができる。まず、突出状態の押し釦２を押込み状態にするまでの動作を説明する。
【００２４】
図７は突出状態の押し釦２を押すときのロック機構の動作図を示す。図７（ａ）は突出状態を示し、図７（ｂ）は最も押し釦２を押し込んだ押込み時位置切り替え状態を示し、図７（ｃ）は押込み状態を示す。図７（ａ）に示す突出状態の押し釦２を押すと、ロック機構は図７（ａ）→図７（ｂ）→図７（ｃ）の順番に状態を変化させる。図中上段はロック機構の側面図を示し、図中中段は支持部材４及び押し釦２の側面図を示し、図中下段は上方から見た支持部材４及び押し釦２の平面図を示す。なお、図中中段の溝１１，１６は、支持部材４及び回転体７の溝１１，１６を分かり易く抜き出したものである。実線が支持部材４の溝１１を示し、破線が回転体７の溝１６を示す。
【００２５】
図７（ａ）に示す突出状態では、ねじりコイルばね８の突出方向の弾性力によって回転体７が突出方向に付勢されている。支持部材４の溝１１と回転体７の溝１６との間には球体９が介在しており、押し釦２の突出状態は球体９によって保持されている。突出状態では、球体９は支持部材４の突出位置保持用溝１１ａの突出方向の端部に位置する。そして、球体９は回転体７の溝１６の回転方向Ａの端部（図７（ａ）中左側の端部）に位置する。
【００２６】
また、図７（ａ）に示す突出状態では、回転体７は支持部材４に対して回転することなく、一定の角度を保つ。これを詳述するに、回転体７の回転角度は図７（ａ）中Ｘの部分が支持部材４の延長壁４ｂに当接する第一の角度にある。回転体７にはねじりコイルばね８によって回転体７を回転方向（図中矢印Ａ方向）に回転させようとする回転力が働く。しかし、回転体７の溝１６は回転方向Ａに対して傾斜していて、ねじりコイルばね８から回転力が作用しても、回転体７は球体９に対して矢印Ａ方向に回転することはない。しかも、球体９は支持部材４の突出位置保持用溝１１ａに嵌められていて、球体９は支持部材４に対して矢印Ａ方向に移動することはない。この結果、図７（ａ）に示す突出状態では、回転体７は支持部材４に対して回転することなく、一定の角度を保つ。
【００２７】
次に、図７（ｂ）に示すように、押し釦２を押すと、押し釦２及び回転体７が押込み方向に移動する。押し釦２の押込み動作に伴い、球体９が支持部材４の突出位置保持用溝１１ａに沿って移動する。球体９が突出位置保持用溝１１ａの奥側の端部に到達すると、これ以上押し釦２を押すことができなくなる。球体９が突出位置保持用溝１１ａの奥側の端部に到達したときの押し釦２の位置が、押込み時の切り替え位置になる。押し釦２の押込み動作中、回転体７は支持部材４に対して回転することなく、一定の角度を保つ。その理由は上述したとおりである。
【００２８】
図７（ｂ）に示すように、球体９が突出位置保持用溝１１ａの奥側の端部に到達すると、球体９の図中矢印Ａ方向への移動を妨げていた突出位置保持用溝１１ａの壁が存在しなくなる。このため、ねじりコイルばね８の回転力によって、回転体７が矢印Ａ方向に回転し、球体９が突出位置保持用溝１１ａから押込み位置保持用溝１１ｂに移行する。
【００２９】
図７（ｃ）に示すように、回転体７の回転は球体９が押込み位置保持用溝１１ｂの端部に移動するまで継続する。回転体７は第一の角度Ｂ１から第二の角度Ｂ２まで回転し、回転体７の図中Ｙの部分が支持部材４の延長壁４ｂに当接するようになる。球体９が押込み位置保持用溝１１ｂの端部に移動すると、回転体７の回転が停止する。これにより、押し釦２がロックされて押込み状態になる。なお、支持部材４の押込み位置保持用溝１１ｂは傾斜しているので、回転体７が回転する間、押し釦２は僅かに突出方向に移動する。
【００３０】
図８は押込み状態の押し釦２を押すときのロック機構の動作図を示す。図８（ａ）は押込み状態を示し、図８（ｂ）は最大押込み前の状態を示し、図８（ｃ）は最大押込み時の状態を示し、図８（ｄ）はリセット状態を示し、図８（ｅ）は突出状態を示す。押込み状態の押し釦２をさらに押すとき、ロック機構は図８（ａ）→…→図８（ｅ）の順番に状態を変化させる。
【００３１】
図８（ａ）の押込み状態では、球体９は支持部材４の押込み位置保持用溝１１ｂの図８（ａ）中左端部及び回転体７の溝１６の図８（ａ）中左端部に位置する。押込み状態の押し釦２をさらに押すと、図８（ｂ）に示すように、回転体７が支持部材４に対して押込み方向に移動する。回転体７の押込み方向への移動に伴って、支持部材４の押込み位置保持用溝１１ｂと回転体７の溝１６との交差部１９に位置する球体９が、押込み位置保持用溝１１ｂの斜面を下り、突出位置保持用溝１１ａに向かって移動する。交差部１９は、ロック機構を側方から見たとき、支持部材４の押込み位置保持用溝１１ｂと回転体７の溝１６との重なっている部分である。内周側の押込み位置保持用溝１１ｂと外周側の溝１６は互いに平行ではなく、内周側の押込み位置保持用溝１１ｂと溝１６とが外周側の交差している。球体９は交差部１９にのみ位置するようになっている。
【００３２】
図８（ｃ）に示すように、押し釦２を最大押込み時状態まで押し込むと、球体９が支持部材４の押込み位置保持用溝１１ｂから突出位置保持用溝１１ａに移行する。また、球体９は回転体７の溝１６の図８（ｃ）中右側の端部に位置する。回転体７の溝１６の右側の端部は、突出方向に折り曲げられていて、球体９が回転体７の溝１６の右側の端部から左側に向かって戻るのを防止している。
【００３３】
押し釦２を最大に押し込んだ後、押し釦２から指を離すと、図８（ｄ）に示すように、ねじりコイルばね８の突出方向の弾性力によって、押し釦２が突出方向に移動する。球体９は支持部材４の突出位置保持用溝１１ａの突出方向の端部まで移動する。
【００３４】
押し釦２が図８（ｄ）に示すリセット状態まで突出しても、ねじりコイルばね８は回転体７にさらに突出方向の弾性力を与える。コイルばね８の突出方向の弾性力によって、回転体７の溝１６の奥側の斜面１６ａが球体９に当接するようになる。溝１６は傾斜しているので、溝１６の奥側の斜面１６ａが球体９に当接すると、回転体７には図中矢印Ｂ方向の回転力が働く。この矢印Ｂ方向の回転力は、ねじりコイルばね８が回転体７に与える回転力よりも大きく設定されているので、回転体７が矢印Ｂ方向に回転する。最終的には、図８（ｅ）に示すように、球体９が回転体７の溝１６の左側の端部に到達するまで回転体７が回転する。最後に回転体７が矢印Ｂ方向に回転することで、押し釦２が突出状態に戻る。図８（ｅ）の突出状態は図７（ａ）の突出状態と同一である。
【００３５】
図９は、本発明の第二の実施形態のロック機構を示す。この実施形態のロック機構は、家具に取り付けられるマグネットラッチに使用される。ケース２１は家具の筐体に取り付けられる。押し釦２２には、マグネット２２ａが埋め込まれる。ケース２１及び押し釦２２の内部構造は、第一の実施形態のロック機構と同一であり、突出状態の押し釦２２を押すと、押込み状態になり、押込み状態の押し釦を押すと、突出状態になる。
【００３６】
金属製の受座２３は、扉に取り付けられる。扉を開けるとき、指先で扉を押すと、ロック機構の動作により、押込み状態の押し釦２２が突出状態になり、扉が自動的に開くようになる。扉を閉めるとき、指先で扉を押すと、押し釦２２のマグネット２２ａが扉をキャッチする。
【００３７】
なお、本発明は上記実施形態に具現化されるのに限られることはなく、本発明の要旨を変更しない範囲で様々な実施形態に実現可能である。
【００３８】
例えば、上記実施形態では、押し釦本体に回転体を回転可能に連結し、支持部材に対して回転体が回転するようにしているが、押し釦本体と回転体とを一体にし、支持部材が押し釦に対して相対的に回転するようにしてもよい。
【００３９】
上記実施形態では、支持部材の溝、及び回転体の溝を、底のある溝に形成しているが、底のない貫通した溝に形成してもよい。そして、支持部材や回転体に底を形成するための筒体を嵌め込むようにしてもよい。
【００４０】
上記実施形態では、付勢手段を一つのコイルばねから構成しているが、付勢手段を回転体に突出方向に弾性力を与えるばねと回転体に回転力を与えるばねとに分離してもよい。
【産業上の利用可能性】
【００４１】
本発明のロック機構は、家具、車のダッシュボードのプッシュ式摘み、マグネットキャッチ、クワガタラッチ（プッシュラッチ）等に使用できる。図２（ｂ）に示すように、ストロークδを小さくできるという特徴も持つので、キャビネットの内寸よりも扉の外寸が大きいアウトセットの扉に好適に使用できる。さらに、小型化を図れるという特徴を持つので、ノック式ボールベン等に使用できる。
【符号の説明】
【００４２】
２…押し釦（押し部材）
４…支持部材
６…押し釦本体
７…回転体
８…ねじりコイルばね（付勢手段）
９…球体（移動体）
１１…支持部材の溝
１１ａ…突出位置保持用溝
１１ｂ…押込み位置保持用溝
１６…回転体の溝
【図１】
2013217049.tif 000003
【図２】
2013217049.tif 000004
【図３】
2013217049.tif 000005
【図４】
2013217049.tif 000006
【図５】
2013217049.tif 000007
【図６】
2013217049.tif 000008
【図７】
2013217049.tif 000009
【図８】
2013217049.tif 000010
【図９】
2013217049.tif 000011
【図１０】
2013217049.tif 000012